(57)【要約】【課題】  車輪付き履物から車輪を完全に取外す必要なく履物を歩いたり走ったりするのに適した状態に転換しうる車輪付き履物を提供する。【解決手段】  転動手段（５０，５４）を設けた履物（１０）において、この転動手段を第１の有効位置に位置決めし表面を転動することができるようにし、また転動手段を第２の休止位置に引っ込めて転動手段を機能しないようにし、歩くのに適した状態にする引き込み手段（３４）を設ける。この引き込み手段は、スライド可能なヨーク状部材（３４）を有するものとし、このヨーク状部材をアーム（３６）により移動させることにより第１の有効位置及び第２の休止位置に転動手段を位置決めすることができる。これにより特別な工具を必要とすることなく簡便に履物の形態を変えることができる。【選択図】図２ｂ
2005144177.tif 000002
【特許請求の範囲】
【請求項１】
転動手段を設けた履物であって、この転動手段を第１の有効位置にすると表面をローラで転動することができるようになっている履物において、
この履物が、さらに、前記転動手段を第２の休止位置に引っ込め、それにより当該転動手段を無効化し履物が表面を転動するのを防止する引き込み手段を有することを特徴とする履物。
【請求項２】
前記転動手段が、長手方向軸線を規定する円筒状ローラであって、この軸線を中心として回転しうる円筒状ローラを有する請求項１に記載の履物。
【請求項３】
前記転動手段を、回転軸により前記引き込み手段に取付けた請求項１又は２に記載の履物。
【請求項４】
前記履物にヒールを設けた請求項１乃至３のいずれか一項に記載の履物。
【請求項５】
前記転動手段及び前記引き込み手段を前記ヒール内に格納した請求項１乃至４のいずれか一項に記載の履物。
【請求項６】
前記引き込み手段がスライド可能な部材を具える請求項１乃至５のいずれか一項に記載の履物。
【請求項７】
前記引き込み手段が、スライド可能なヨーク状部材を具える請求項１乃至６のいずれか一項に記載の履物。
【請求項８】
前記スライド可能なヨーク状部材に、当該ヨーク状部材を前記ヒール内で第１の位置から第２の位置まで移動させる少なくとも１個の細長いアームを設けた請求項７に記載の履物。
【請求項９】
前記アームが前記ヒールの前方部分から突出する請求項８に記載の履物。
【請求項１０】
前記アームが前記ヒールの後方部分から突出する請求項８に記載の履物。
【請求項１１】
前記ヨーク状部材に、前記転動手段を収容する１対の傾斜スロットを設けた請求項７に記載の履物。
【請求項１２】
前記傾斜スロットに、前記第１の有効位置又は前記第２の休止位置に前記転動手段を保持する戻り止めノッチを画成した請求項１１に記載の履物。
【発明の詳細な説明】
【技術分野】
【０００１】
本発明は、履物（フットウェア物品）、特にレクリエーション用の車輪付きシューズに関するものである。
【背景技術】
【０００２】
既知の車輪付きシューズでは、車輪を、特別に調整したシューズのヒール内に格納しうるようになっている。レクリエーション用の車輪付きシューズとして使用する前には、車輪をシューズのヒール内に挿入して嵌合させる必要があり、またそのように使用しない場合には車輪をシューズから完全に取外す必要がある。使用者は、シューズから車輪を取外す取外し工具を準備しておく。このようにして、シューズを、第１の状態、即ちシューズに車輪を組み合わせて着用者の足が道路や道路に類似する表面を転動することができる状態から、第２の状態、即ちシューズを通常の歩行に適した状態に転換する。シューズを第２の状態に転換するときには車輪に代えてヒール用プラグを設ける。この種の車輪付きシューズを第２の状態から第１の状態に転換するには、取外し工具を用いてシューズからプラグを取外さなければならない。このため、着用者はシューズの形態を変える際に極めて不便に感じることとなり、また取外し工具を利用可能にしておく必要もある。
【０００３】
さらに、車輪を取外して空になったハウジングにはヒール用プラグを差し込んでおくべきである。着用者がシューズの形態を変えたい場合にはヒール用プラグ又は車輪を利用可能としておくべきである。
【発明の開示】
【発明が解決しようとする課題】
【０００４】
本発明の目的は、シューズを普通に歩いたり走ったりするのに適した状態に転換するのにシューズから車輪を完全に取外す必要のない車輪付きシューズを提供するにある。
【課題を解決するための手段】
【０００５】
この目的を達成するため、本発明は、転動手段を設けた履物であって、この転動手段を第１の有効位置にすると表面を転動することができるようになっている履物において、この履物が、さらに、前記転動手段を第２の休止位置に引っ込め、それにより当該転動手段を無効化し履物が表面を転動するのを防止する引き込み手段を有することを特徴とする。
このようにして、着用者は、履物を、例えば歩いたり走ったりするような通常の活動と、道路表面などを転動するフットウェアが必要となるレクリエーション活動との双方に利用することができる。さらに、履物の機能を通常モードからレクリエーションモードに変えるのに、フットウェアから転動手段を取外したり交換したりする必要がなくなる。
【発明を実施するための最良の形態】
【０００６】
転動手段が、長手方向軸線を規定する円筒状ローラであって、この軸線を中心としてこの円筒状ローラが回転しうる円筒状ローラを有するのが好ましく、また転動手段を回転軸により引き込み手段に取付けるのが好ましい。
【０００７】
履物にヒールを設けるのが好ましく、また転動手段及び引き込み手段をこのヒール内に格納するのが好ましい。
【０００８】
好適例では、引き込み手段がスライド可能な部材を具えており、更に好ましくは、引き込み手段が、スライド可能なヨーク状部材を具える。このスライド可能なヨーク状部材には、このヨーク状部材をヒール内で第１の位置から第２の位置まで移動させる少なくとも１個の細長いアームを設けるのが有利である。このスライド可能なヨーク状部材には２個の細長いアームを設けることができる。このようにして、スライド可能なヨーク状部材を移動しうるようにする。
【０００９】
ヨーク状部材には、転動手段を収容する１対の傾斜スロットを設けるのが好ましい。このようにして、転動手段を傾斜スロットの下降位置に配置した場合には第１の有効位置に位置決めすることができ、或いは転動手段を傾斜スロットの上昇位置に配置した場合には第２の休止位置に位置決めすることができる。
【００１０】
傾斜スロットに、第１の有効位置又は第２の休止位置に転動手段を保持する戻り止めノッチを画成するのが更に好ましい。このようにすると、これら戻り止めノッチの抵抗を克服するのに充分な大きさの適切な力を加えるまで、転動手段は所定位置に保持される。
【実施例】
【００１１】
本発明による２種の履物を添付の実施例を参照して説明する。
図１を参照するに、シューズ１０は、３個の部分、即ち上部１２と、ソール１４と、ヒール１６とを有し、このヒール１６をソール１４の後方端部下面に結合する。
【００１２】
特に図２ａを参照するに、ヒール１６の前部は、ヒールから離れる方向の前方を向いた直線的な垂直面２４を有する。ヒール１６の後部は、後方に向いた湾曲面２６を有する。
【００１３】
特に図２ｂを参照するに、ヒール１６を２個の水平分離面により３個の部分、即ち頂部１８と、中間部２０と、底部２２とに分ける。この中間部２０は頂部１８より厚肉にし、頂部１８は底部２２より厚肉にする。
【００１４】
頂部１８の上面をソール１４の下面に結合する。図３を参照するに、頂部１８はスロット２８を有しており、このスロット２８はローラ５０の形状に合わせて整形したアーチ形内面を有する。このスロット２８は、頂部１８の底面で開口する。
【００１５】
特に図２ｂ及び図４を参照するに、頂部１８の下側に中間部２０を結合するが、この際、頂部に中間部を結合したときにこれらの間の結合部がほとんど目立たないようにする。中間部２０は方形断面の中央垂直孔２１を有しており、この垂直孔２１は中間部２０の高さ全体を通じて延在する。さらに、中間部２０に、１対の対向するスロット３０及び１対の対向するチャンネル３２を画成する。これら対のスロット３０を通る軸線は、対のチャンネル３２を通る軸線と直交させる。
【００１６】
これらチャンネル３２は、シューズ１０の前進方向に対して長手方向に延在する。チャンネル３２及びスロット３０は中間部２０の上部に形成し、中間部２０を頂部１８に結合したときに、これらチャンネル３２及びスロット３０が頂部１８により封止されるようにする。中間部２０の垂直孔内に嵌合するようにスライドヨーク３４を設ける。
【００１７】
このスライドヨーク３４の外周はほぼ方形とする。スライドヨーク３４の幅は、中間部２０の垂直孔２１の幅より僅かに狭くする。ライドヨーク３４の長さは、中間部２０の垂直孔２１の長さよりかなり短くする。このことは、スライドヨーク３４が、シューズ１０の長手方向軸線に沿った方向で垂直孔２１内を前後に自由に移動しやすいようにするものである。スライドヨーク３４は、方形断面の中央垂直孔３５を有する。スライドヨーク３４は、その前面３８及び後面４０の上部に位置決めした２個のアーム３６を有する。これらアーム３６は中間部２０のチャンネル３２の形状と相補的な形状として、スライドヨーク３４を中間部２０内に配置したときに、アームがチャンネル３２内に表面が同一平面となるよう嵌合し、またスライドヨーク３４が中間部２０内に表面が同一平面となるよう嵌合するようにする。アーム３６の長さは、少なくとも一方のアームが常に中間部２０から外方に延在するようにする。スライドヨーク３４の対向する側部には１対の傾斜スロット４２を形成する。これら傾斜スロット４２は、スライドヨーク３４側部のほぼ中間に設ける。
【００１８】
特に図５を参照するに、傾斜スロット４２の各々について前方端部４４を後方端部４６より高くする。勾配部４８により前方端部４４及び後方端部４６を結合する。各傾斜スロット４２の前方端部４４に戻り止めノッチ（切欠き）４３を設ける。各傾斜スロット４２の後方端部４６に他の戻り止めノッチ４５を設ける。スライドヨーク３４はナイロンタイプの材料又はそれに類似する材料から形成する。このようにして、傾斜スロット４２が、戻り止めノッチ４３，４５において弾性的に変形しうるようにする。
【００１９】
特に図２ａ及び図４を参照するに、円筒状ローラ５０に、ローラピン５４を収容する中心孔５２を設ける。ローラピン５４は円筒状とし、ローラ５０の中心孔５２を通して挿入するのに充分な直径とする。ローラピン５４は、中間部２０の対向する１対のスロット３０間の空隙を跨ぐのに充分な長さとする。ローラピン５４によりローラ５０をスライドヨーク３４内に保持する。ローラ５０を傾斜スロット４２間に位置決めして、第１の傾斜スロット４２と、中心孔５２と、第２の傾斜スロット４２とを通じてローラピン５４を挿入し、このローラピン５４をローラ５０の両端部から等しく突出させる。このようにしたスライドヨーク３４を中間部２０に挿入し、ローラピン５４及びローラ５０を所定位置にロックする。
【００２０】
特に図４を参照するに、底部２２を、結合部がほとんど目立たないように中間部２０の下面に結合する。底部２２は、中央に配置したテーパ付き孔５５を有し、このテーパ付き孔５５は、底部２２の頂部表面により大きい開口５６を具え、底部２２の底部表面により小さい開口５８を具える。このテーパ付き孔５５の形状は、ローラ５０に合わせた形状とする。
【００２１】
使用の際には、ヒール１６内部に保持したスライドヨーク３４により、ローラ５０を上昇状態６０又は下降状態６２（図１及び図２ｂ参照）に位置決めすることができる。スライドヨーク３４は、ヒール１６の後方で突出しているアーム３６を前方に押し出すことにより前方状態に位置決めすることができる。このことにより、ローラピン５４はスロット３０内に保持されたまま高い位置４４から低い位置４６に移動する。第１の戻り止めノッチ４３があるため、ローラピン５４を傾斜スロット４２の前方端部４４から自由にするにはある程度の力が必要となる。また、第２の戻り止めノッチ４５があるため、ローラピン５４を傾斜スロット４２の下側端部に掛合させるのにも同様の力が必要となる。ローラ５０を下降させたこの状態では、シューズの着用者は表面を転動することができる。
【００２２】
或いは又、スライドヨーク３４は、ヒール１６の前方に突出するアーム３６を後方にヒール内に押し込むことにより後方状態に位置決めすることができる。スライドヨーク３４の傾斜スロット４２を後方に押し込むと、スロット３０内で水平に保持されたローラピン５４は、傾斜スロット４２に従って上昇位置に移動し、そこで戻り止めノッチ４３により所定位置にロックされる。
【００２３】
図６ａ及び６ｂを参照して本発明の変更例を説明する。第１の実施例と同じ参照番号を用い、相違点のみを説明する。
【００２４】
上部１８の上面に合わせてソール１４に凹所６８を整形する。この凹所６８は、上部１８の高さよりも深くする。この凹所６８内で上部１８の上面をソール１４に結合する。上部１８の全体が凹所６８により収容されるので中間部２０が凹所６８の前方端縁６９と接触する。ソール１４に溝７０を画成し、この溝７０は凹所６８から前方に長手方向に延在させる。
【００２５】
中間部２０の前方側部の上側半分に、溝７０と対向するようにチャンネル３２を画成する。この変更例では、第１の実施例の場合のように中間部２０の後方にはチャンネル３２を画成しない。
【００２６】
スライドヨーク３４は、その前方面３８（図６においては図示せず）の上部に位置決めした１個のアーム７２を有する。このアーム７２は、チャンネル３２及び溝７０の形状に合った形状として、アーム７２がチャンネル３２内にちょうど嵌合し、このチャンネル３２を通って突出して溝７０内にちょうど嵌合するようにする。アーム７２の長さは、スライドヨーク３４を中間部２０の後方に位置決めしたときに、アーム７２がチャンネル３２を通って溝７０内に突出するような長さにする。アーム７２には溝７０の下方に突出した部材７４を画成して、シューズの着用者がアームの位置を移動することができるようにする。
【００２７】
使用する際には、アーム７２の部材７４を前方に押し出すことによりスライドヨーク３４を前方状態に位置決めすることができる。或いは又、アーム７２の部材７４を後方に押し出すことによりスライドヨーク３４を後方状態に位置決めすることができる。
【図面の簡単な説明】
【００２８】
【図１ａ】図１ａは、本発明の第１の実施例による車輪付きシューズを、車輪が上昇位置にある状態で示す側面図である。
【図１ｂ】図１ｂは、本発明の第１の実施例による車輪付きシューズを、車輪が下降位置にある状態で示す側面図である。
【図２ａ】図２ａは、図１に示す車輪付きシューズのヒールの平面断面図である。
【図２ｂ】図２ｂは、図１に示す車輪付きシューズのヒールの側方断面図である。
【図３】図３は、図２に示すヒールの頂部、ローラ、ローラピン及びスライドヨークの分解斜視図である。
【図４】図４は、図２に示すローラ、ローラピン、スライドヨーク、ヒール中間部及びヒール底部の分解斜視図である。
【図５】図５は、戻り止めノッチを具えた傾斜スロットを示すスライドヨークの部分側面図である。
【図６ａ】図６ａは、本発明の第２の実施例による車輪付きシューズの一部を、底部を取外して、車輪が上昇位置にある状態で示す斜視図である。
【図６ｂ】図６ａは、本発明の第２の実施例による車輪付きシューズの一部を、底部を取外して、車輪が下降位置にある状態で示す斜視図である。
【符号の説明】
【００２９】
１０  シューズ
１２  上部
１４  ソール
１６  ヒール
１８  頂部
２０  中間部
２１  垂直孔
２２  底部
２８  スロット
３０  スロット
３２  チャンネル
３４  スライドヨーク
３５  垂直孔
３６  アーム
４２  スロット
４５，４３  戻り止めノッチ
５０  ローラ
５２  中心孔
５４  ローラピン
５５  テーパ付き孔
【図１ａ】
2005144177.tif 000003
【図１ｂ】
2005144177.tif 000004
【図２ａ】
2005144177.tif 000005
【図２ｂ】
2005144177.tif 000006
【図３】
2005144177.tif 000007
【図４】
2005144177.tif 000008
【図５】
2005144177.tif 000009
【図６ａ】
2005144177.tif 000010
【図６ｂ】
2005144177.tif 000011
【手続補正書】
【提出日】平成16年11月30日(2004.11.30)
【手続補正１】
【補正対象書類名】図面
【補正対象項目名】全図
【補正方法】変更
【補正の内容】
【図１ａ】
2005144177.tif 000012
【図１ｂ】
2005144177.tif 000013
【図２ａ】
2005144177.tif 000014
【図２ｂ】
2005144177.tif 000015
【図３】
2005144177.tif 000016
【図４】
2005144177.tif 000017
【図５】
2005144177.tif 000018
【図６ａ】
2005144177.tif 000019
【図６ｂ】
2005144177.tif 000020